(57)【要約】【課題】衣類の洗濯後の乾燥時にしわや縮みの発生を少しでも回避し、乾燥後のアイロン掛け作業回数の低減を図り、家事労働を軽減することを課題とするものである。【解決手段】吊り具、１対の押圧板、この１対の押圧板の間に設けた伸張具及び１対の押圧板の間を狭め固定する押圧板収納具とからなり、洗濯後の衣類の筒状部の内部に１対の押圧板を閉方向に狭めて挿入し、挿入後、１対の押圧板の間に設けた伸張具によって、１対の押圧板が開方向に付勢し、衣類の内部から洗濯物を押し広げ、洗濯物を脱着した後は、伸張具を閉方向に圧縮して１対の押圧板の距離を狭め、押圧板収納具で１対の押圧板を固定し収納可能とする、洗濯後衣類の乾燥時において生ずるしわや縮みを防止する伸張式ハンガー及びこれらを衣類により組み合わせた伸張式ハンガーである。【選択図】図５
2019058235.tif 000002
【特許請求の範囲】
【請求項１】
吊り具、１対の押圧板、この１対の押圧板の間に設けた伸張具及び１対の押圧板の間を狭め収納する押圧板収納具とからなり、洗濯後の衣類の筒状部の内部に１対の押圧板を閉方向に狭めて挿入し、挿入後、１対の押圧板の間に設けた伸張具によって、１対の押圧板が開方向に付勢し、衣類の内部から洗濯物を伸張して、乾燥させ、洗濯物脱着後は、伸張具を閉方向に圧縮して１対の押圧板間を狭め、押圧板収納具で１対の押圧板を固定し収納可能とする、洗濯後衣類の乾燥時において生ずるしわや縮みを防止する伸張式ハンガー。
【請求項２】
１対の押圧板の間に設けた伸張具を、いずれか一方の押圧板より取り外す、又は、１対の押圧板から取り外すことができる請求項１の伸張式ハンガー。
【請求項３】
請求項１又は請求項２のいずれかの伸張式ハンガーをトップスの胴体部に使用するトップス用胴体伸張式ハンガー。
【請求項４】
請求項３のトップス用胴体伸張式ハンガーの１対の押圧板の左右のそれぞれの押圧板に、請求項１又は請求項２のいずれかの１対の押圧板の一方の押圧板を接合し、中央の伸張式ハンガーを胴体用、左右の伸張式ハンガーを袖用として使用するトップス用袖・胴体伸張式ハンガー。
【請求項５】
パンツの腰部と両脚部に請求項１又は請求項２のいずれかの伸張式ハンガーを使用し、腰部の伸張式ハンガーと両脚部の伸張式ハンガーを繋げたパンツ用伸張式ハンガー
【請求項６】
パンツの腰部から脚部までの外側用の１対の押圧板と、両脚部の内側用として上端部を接合した２枚の押圧板とを準備し、パンツの腰部から脚部までの１対の押圧板の腰部及びパンツの腰部から脚部までの１対の押圧板の脚部と上部を接合した２枚の押圧板との間に、伸張具をそれぞれの押圧板にほぼ垂直に単数又は複数設け、パンツの腰部から脚部までの１対の押圧板及び両脚部の上部を接合した２枚の押圧板の接合部とに吊り具を付け、更に押圧板の間を狭め固定する押圧板収納具を付けた一体型パンツ用伸張式ハンガー。
【請求項７】
中央にヒンジ継手を有し、左右の肩部が回転可能とするヒンジ継手付上部ハンガーと請求項１から請求項６までのいずれかの伸張式ハンガーとを組み合わせた上部ハンガー付伸張式ハンガー。
【発明の詳細な説明】
【技術分野】
【０００１】
本発明は、衣類洗濯後の乾燥時に、衣類をその内側から伸張させ、しわや縮みの発生を防ぎ、乾燥後アイロン等でしわや縮みを伸ばす作業を低減できる乾燥時衣類伸張式ハンガーに関する。
【背景技術】
【０００２】
本願発明者は、正規の社員でもあり、子育て奮闘中の母親でもあり、妻でもある博士号を有する理科系女子いわゆるリケジョ主婦である。
家庭内での仕事は、夫との役割分担が前提であるとはいえ、炊事洗濯等の家事は主婦がこなさなくてはならない場合がほとんどである。
全自動洗濯機、全自動食洗機等が多く市販され、主婦の家事労働は減少していると言われているが、主婦としてこまごまとした家事に時間を費やされる場合が多い。中でも、洗濯物を脱水後、自然乾燥、自動乾燥機によって乾燥させても、小さなシワや縮みが生じ、どうしてもアイロン掛けの必要がある。
全自動アイロン掛け機は、今のところ見当たらず、アイロン掛けは手間がかかる家事の一つである。また、アイロン掛けは、幼児が触れて火傷を負う場合もあって、幼児が寝ている間にする必要がある。
本発明者は、このアイロン掛けの手間を少しでも軽減する方法はないかと思案していた。
しわや縮みは乾燥時に水分の蒸発により生ずるものであり、その乾燥時に洗濯物を伸張しておけば、しわや縮みを少しでも防ぐことができ、アイロン掛けの時間も短縮できるはずである。
干すだけでしわや縮みを防ぐアイロンフリーの衣類も売られているが、胴体の下部や袖にはしわや縮みが残る場合があり、これを防ぐ機能があるハンガーがあれば便利であるとのことから発想したものである。更には、独身男性や単身赴任の男性にも都合がよいのではないかと考えたものである。
本発明は、社会的職務と家事とを並行して担っている主婦の身近な必要性から考えだされた。
【０００３】
さて、洗濯後の衣類の乾燥時にしわや縮み更には型崩れを防止する発明や考案を調査すると以下のような先行技術が見受けられた。
形状を胴体型に立体的にしてシャツ類をかけるようにしたハンガー(特許文献１)、ワイシャツの裾の部分と同一形状（大きさ）のクリップで裾を挟みぶらさげることにより、クリップの重みでワイシャツのしわがとれる、ワイシャツシワ取りハンガー(特許文献２)、シャツや上着などの衣類の前後の身体の間と脇部に間隔を設けることで、衣類の乾燥時間を短縮し、型崩れを防ぎ、洗濯した衣類を乾きやすくし、コンパクトに収納できる物干しハンガー(特許文献３)、針金の素材で出来た型わく、上部用、下部用、左袖用、右袖用で、洗濯直後のカッターシャツやワイシャツの内側から布地を押し広げ、そのまま干し乾くことにより、洗濯しわがきれいに伸びることを特徴とするカッターしわ伸ばしハンガー干し器(特許文献４)、また課題はやや異なるが、患者衣、受診衣等を風の強い屋外で干す場合、または熱風を吹き付けるスチームトンネル内を通す場合、物干しハンガーから落ちるのを防止すべく、付け紐を結んでいるが、吊り結合部材にフック部材、左右の肩部材及び操作部材を装着し、操作部材を押すことによって左右の肩部材が下方向に回転し、左右の肩部材に掛けられていた衣料が左右の肩部から外れるように構成されている物干しハンガー(特許文献５)等がある。
【０００４】
また、実用新案登録出願等について検索すると以下のような先行技術文献が見出される。
ハンガー本体と、横棹部材と、連結部材と、係止部材と、フック部材とからなる衣類用ハンガーであって、横棹部材の高さ位置を簡便に調節し、長手方向に簡便に伸縮させることができ、かつ、横棹部材に損傷し難い滑り止め構造を施した衣類用ハンガー(特許文献６)、洗濯を終え干す際のシャツやズボンの筒状若しくは袋状の部分に、ハンガー本体の柄の中央部分にフックにより保持することの出来る板バネ製の輪を楕円形に細長く変形させ挿入し、その復元力によって内部から洗濯物を押し広げる事で洗濯しわができることを防ぐ洗濯物干しハンガー(特許文献７)等がある。
【先行技術文献】
【特許文献】
【０００５】
【特許文献１】特開２００２‐３５４９３号
【特許文献２】特開２０１１−２００６１４号
【特許文献３】特開２０１１−５０７１０号
【特許文献４】特開２０１６−５９７７６号
【特許文献５】特開平１０−３３８９３号
【特許文献６】実用新案登録第３１９２６２０号
【特許文献７】実用新案登録第３１００６４６号
【０００６】
特許文献１は、「形状を胴体型に立体にした胴体ハンガー」との記載はあるが、その構造は明確性を欠け、使用しないときの収納には配慮がされていない。特許文献２は、「空洞にワイシャツの袖を通すことにより均一にワイシャツを引っ張ることができ」と記載されているが、図面には空洞にワイシャツの袖を通すことが表示されておらず請求項に係る発明の外延が不明瞭である。
特許文献３では、その収容時まで配慮されているが、ハンガーの両肩部先端の支点にハンガーに対し前後９０度まで倒すことが可能な湾曲部材を取り付けるものであり、乾燥時に胴体部のしわや縮みを除去できるとは限らないものである。特許文献４は、針金の素材で出来た型わく、上部用、下部用、左袖用、右袖用で、洗濯直後のカッターシャツやワイシャツの内側から布地を押し広げるものであり、乾燥時にしわや縮みを防止できると思われるが、針金の素材で構成され、連続して使用できるか疑問が残る。特許文献５はその構造が複雑であり、主婦が日常使用するにはやや不適であると思われる。
【０００７】
特許文献６は、横棹部材の高さ位置を調節することができるとともに、その長手方向に伸縮可能とするものであって、ハンガーの利便性を特徴とし、洗濯後の乾燥時にしわや縮みを防止する目的とは異にする。特許文献８は、板バネ製の輪を楕円形に細長く変形して袋状の部分に挿入しその復元力によって内部から洗濯物を押し広げしわや縮みを防ぐものであるが、板バネを使用しているため、継続使用ができるか疑問が残る。
【０００８】
本願発明者は、上記先行技術文献を調査し、各洗濯物干しハンガー等は、使用した場合に変形が生じ、反復して使用できない恐れがあるのではないかと思われた。そこで、より手軽に生産でき、繰り返し安定的に使用でき、かつ、収縮して収納できる、洗濯後の乾燥時に衣類を伸張させ、しわや縮みの発生を少しでも回避できるハンガーを発明し本願を提出するものである。
【発明の概要】
【発明が解決しようとする課題】
【０００９】
本願の解決しようとする課題は、衣類の洗濯後の乾燥時にしわや縮みの発生を少しでも防ぎ、乾燥後のアイロン掛け作業回数の低減を図り、家事労働を軽減することを課題とするものである。
【課題を解決するための手段】
【００１０】
第１発明は、吊り具、１対の押圧板、この１対の押圧板の間に設けた伸張具及び１対の押圧板の間を狭め収納する押圧板収納具とからなり、洗濯後の衣類の筒状部の内部に１対の押圧板を閉方向に狭めて挿入し、挿入後、１対の押圧板の間に設けた伸張具によって、１対の押圧板が開方向に付勢し、衣類の内部から洗濯物を伸張して、乾燥させ、洗濯物脱着後は、伸張具を閉方向に圧縮して１対の押圧板間を狭め、押圧板収納具で１対の押圧板を固定し収納可能とする、洗濯後衣類の乾燥時において生ずるしわや縮みを防止する伸張式ハンガーである。
【００１１】
吊り具は、洗濯物を装着した伸張式ハンガーを物干し竿等に掛けるためのものであり、先端にはフックやクリップが付けられ、押圧板と連結している。
押圧板は洗濯後の衣類の筒状部の内部に挿入するものであり、伸張具を間に設けて２つの同形の押圧板が平行につながれ１対の押圧板となっている。
吊り具は、それぞれの押圧板と連結し、物干し竿等に掛けることができればよく、形状、構成等は問わない。なお、吊り具は、１対の押圧板のそれぞれの押圧板と連結している必要はなく１対の押圧板を吊れる機能であればよい。
尚、押圧板としたときには、１対の押圧板をいうときもあり、１対の押圧板のそれぞれ又は一方の押圧板をいうときもある(以下同様)。
【００１２】
１対の押圧板の形状は、左右対称であり、平板、断面が楕円形の板あるいは板ではなく断面が円又は楕円形の棒状であってもよく、伸張具の衣類に対する押圧力に耐えればよい
押圧板の大きさは、いわゆるワイシャツ等のトップス、またパンツ等のボトムス等対象とする洗濯物により決められるが、汎用的な大きさであればよく、衣類の丈や長さに合わせて伸縮できる構造であってもよい。
【００１３】
伸張具とは、１対の押圧板を洗濯後の衣類の筒状部の内部に押圧する機能があれば足り、コイルばね、板ばね、ヒンジ継手等のものであってもよい。１対の押圧板を洗濯後の衣類の筒状部の内部に所定の圧力で押圧できる長さであればよい。尚、伸張具による弾力性の強さは、洗濯後に水分を含む衣類を広げることができる強さでありかつ、衣類に過剰な伸びや破れなどのダメージを与えない範囲で調整する必要がある。
伸張具と押圧板は略垂直に連結されているが、伸張具と押圧板との角度は洗濯物の形状に合わせ任意の角度に調整できる構造であってもよい。
この伸張具は１対の押圧板の間に設けられ、単数の場合だけでなく水平に複数設けられることもある。
押圧板収納具とは、伸張具を狭め又は取り外し押圧板の間を狭めて、押圧板を収納するものであり、その機能があれば足り、形状、材質等は問はない。
【００１４】
ヒンジ構造とは、部材と部材との継ぎ目、または支点であって、上下左右には動かないが回転は自由にできるようにした接合の構造をいい、ここでは、任意の角度で保持できるフリーストップヒンジすなわちトルクを有する角度固定ヒンジをいい、更にヒンジの左右にピンや板材があるものをヒンジ継手とし、ヒンジ継手を使用した伸張具をヒンジ継手伸張具とする。
詳しくは、支点部の内部にコイルばねを内蔵させる等して、伸張方向すなわち支点と連結する左右のアームの角度が広がる方向の弾性力を持たせる(この場合、角度を固定するのではなく、支点は自由に回転できるようにした状態でコイルばね力により衣類に張りを与える。)。加えて、衣類の着脱時にコイルばねの反発力に逆らいながら縮むことができる、すなわち、左右のアームの角度が狭められたときに、適当な位置でロックがかかるストッパー機能と、さらにもう一度軽く縮める方向に動かすとロックが外れて再び伸張方向の弾力性が回復する機能(ラッチ構造)を付与できるものが望ましい。
伸張具としてヒンジ継手伸張具を使用した場合には、ヒンジ継手の角度を小さく狭めることで収納が可能となる。
【００１５】
続いて、第２発明は、１対の押圧板の間に設けた伸張具を、いずれか一方の押圧板より取り外す、又は、１対の押圧板から取り外すことができる第１発明の伸張式ハンガーである。
【００１６】
本願の特徴の１つは、収納時に１対の押圧板の間を狭めて収納しやすくすることにある。伸張式ハンガーを使用しないときには、１対の押圧板の間に設けられた伸張具をそのまま保持した状態よりも、それぞれ一方の押圧板より取り外して他の一方の押圧板に付けた状態で下方に垂らしておくか又は伸張具を１対の押圧板の間から取り外すことができれば、より収納がし易くなる。また、衣類の大きさにより伸張具の長さを変える必要もある。係る場合には、伸張具を１対の押圧板より取り外すことでできる方が都合がよい。
【００１７】
続いて、第３発明は、第１発明又は第２発明のいずれかの伸張式ハンガーをトップスの胴体部に使用するトップス用胴体伸張式ハンガーである。
【００１８】
トップスとは、上半身に着る服であり、「上衣」「上着」に相当 する。トップスの反対語はボトムスであり、下半身に着ける被服をいう。
トップスの中でもワイシャツは、最もアイロン掛けを必要とする衣類である。
第１発明又は第２発明のいずれかの伸張式ハンガーについて、１対の押圧板の長さを胴体部である脇下から裾までの長さとして、トップス用胴体伸張式ハンガーとし、洗濯後のワイシャツの胴体部をこのトップス用胴体伸張式ハンガーに掛けて乾燥すれば乾燥時に生ずるしわや縮みが防止でき、アイロン掛け作業が低減できる。
【００１９】
続いて、第４発明は、第３発明のトップス用胴体伸張式ハンガーの１対の押圧板の左右のそれぞれの押圧板に、第１発明又は第２発明のいずれかの１対の押圧板の一方の押圧板を接合し、中央の伸張式ハンガーを胴体用、左右の伸張式ハンガーを袖用として使用するトップス用袖・胴体伸張式ハンガーである。
【００２０】
ワイシャツ等の洗濯物では、乾燥時に胴体部だけではなく両袖にもしわや縮みが生じやすい。そこで、胴体部と同時に袖についても伸張式ハンガーにて乾燥時に生ずるしわや縮みの発生を防止するものである。
胴体部の伸張式ハンガーすなわち第３発明のトップス用胴体伸張式ハンガーの１対の押圧板の左右の押圧板に袖用の第１発明又は第２発明の伸張式ハンガーの一方の押圧板を接合して一体化するものである。胴体用伸張式ハンガーの左右のそれぞれの押圧板の上部である脇部に袖用の伸張式ハンガーの１対の押圧板のそれぞれ一方の押圧板を接合するものであり、接合方法としては、胴体部と袖の角度を任意に保持できるヒンジ継手があるが、これに限るものではない。
【００２１】
例えば洗濯後のワイシャツの両袖を袖用の伸張式ハンガーに通し、更にワイシャツのボタンを留めて第４発明のトップス用袖胴体伸張式ハンガーに掛けることにより、胴体部だけでなく両袖部もしわや縮みの発生を防ぐことが可能となる。
【００２２】
続いて、第５発明は、パンツの腰部と両脚部に第１発明又は第２発明のいずれかの伸張式ハンガーを使用し、腰部の伸張式ハンガーと両脚部の伸張式ハンガーを繋げたパンツ用伸張式ハンガーである。
【００２３】
第５発明は、ボトムスのパンツ用の伸張式ハンガーである。ジーパンや麻繊維のパンツ等は洗濯後の乾燥時に、小さな縮みというか、いわゆる「ゴワゴワ」が生じやすい。パンツに折り目がなくともこの「ゴワゴワ」はかなり目立ち気になるものであり、アイロン掛けが必要とされる。こうした乾燥時の小さなしわや縮みの発生を防ぎアロンの掛けの手間を省くものである。
【００２４】
パンツの伸張式ハンガーは、その要部及び両脚部の長さに応じた押圧板を準備する。パンツの伸張式ハンガーと両脚部の伸張式ハンガーとは、それぞれ独立しているが、チェーン等の繋ぎ用具で連結すればよく、連結の方法は問わない。
【００２５】
続いて、第６発明は、パンツの腰部から脚部までの１対の外側用押圧板と、両脚部の内側用として上端部を接合した２枚の押圧板とを準備し、パンツの腰部から脚部までの１対の押圧板の腰部及びパンツの腰部から脚部までの１対の押圧板の脚部と上部を接合した２枚の押圧板との間に、伸張具をそれぞれの押圧板にほぼ垂直に単数又は複数設け、パンツの腰部から脚部までの１対の押圧板及び両脚部の上部を接合した２枚の押圧板の接合部とに吊り具を付け、更に押圧板の間を狭め固定する押圧板収納具を付けた一体型パンツ用伸張式ハンガーである。
【００２６】
第６発明の一体型パンツ用伸張式ハンガーは、第５発明のパンツ用伸張式ハンガーをより一体的にしたものである。第６発明の特徴は、パンツの腰部から脚部までの１対の外側用の押圧板及び両脚部の内側用の上部を接合した２枚の押圧板を連結したことにある。ここで外側とは、身体の左右の外側の部分をいい、両脚部の内側とは、互いに両脚を合せる部分をいう。この構造にすることにより、パンツの腰部から脚部までの１対の外側用の押圧板のそれぞれの押圧板と両脚部には上部を接合した２枚の内側用の押圧板のそれぞれの間を狭めてパンツを第５発明のパンツ用伸張式ハンガーに比較し、洗濯後の乾燥時に容易にパンツを取付けることができる。
尚、伸張具がそれぞれ一方の押圧板より取り外す、又は、１対の押圧板から任意に取り外すことができ、吊り具を付ける等は、第５発明のパンツ用伸張式ハンガーと同じである。
押圧板収納具は、パンツの腰部から脚部までの１対の押圧板の上部及び裾部に付けることができるが、押圧板収納具を付けることで足り、場所や方法は問わない。
紳士用スラックスの場合、左右の脚部を揃えてアイロン掛けもしくはプレスすることで、膝の中心に縦方向の折り目を残すスタイルが一般的であり、紳士用スラックスを伸張させるときに、腰部分を、紳士用スラックスの左右ではなく、前後に押圧板を内部に押圧すれば縦方向の折り目方向に伸張力を加えることができて乾燥したあとでも、この折り目を少しでも残すことができる。
【００２７】
続いて、第７発明は、中央にヒンジ継手を有し、左右の肩部が回転可能とするヒンジ継手付上部ハンガーと第１発明から第６発明までのいずれかの伸張式ハンガーとを組み合わせた上部ハンガー付伸張式ハンガーである。
【００２８】
第１発明から第６発明のいずれの伸張式ハンガーも、衣類を伸張するものであり、左右への広がりが生じ、これを掛ける上部ハンガーも左右への広がりが必要となる。
上部ハンガーとしたのは伸張式ハンガーの上部に位置するものであり、伸張式ハンガーと区別するためである。この上部ハンガーの中央部にヒンジ継手を有し、両肩部にはフックが付き、両肩部が所定の角度で固定することができるものをヒンジ継手付上部ハンガーとする。このヒンジ継手付上部ハンガーと上記各伸張式ハンガー吊り具に連結させ、上部ハンガー付伸張式ハンガーとして利便性を図るものである。
【発明の効果】
【００２９】
第１発明は、洗濯後の衣類の筒状の部位を内部から広げ、乾燥時のしわや縮みの発生を防ぎ、乾燥を早くするものである。第２発明は、内部から広げる伸張具の取り外しを任意とし、収納時には伸張式ハンガーの押圧板を狭めて収納しやすくするものである。第３発明は第１発明又は第２発明の伸張式ハンガーをトップスに使用し、第４発明は同様にトップスの胴体部だけでなく袖部にも使用し乾燥時に発生するしわや縮みを防ぐものである。第５発明は第１発明又は、第２発明の伸張式ハンガーをパンツに使用するものであり、第６発明は第５発明の構造をより簡易にしたものである。いずれもパンツの乾燥時にしわや縮みの発生を防ぐものである。
第７発明は、第１発明から第６発明の各伸張式ハンガーを掛けるための上部ハンガーであり、各上部ハンガーを使用しやすくするものである。
【図面の簡単な説明】
【００３０】
【図１】図１は、押圧板の断面がＵ字型の伸張式ハンガーの図である。
【図２】図２は、押圧板に取り外し用フックが付いた平板の伸張式ハンガーの図である。
【図３】図３は、断面が楕円形、伸張具がヒンジ継手の伸張具ハンガーの図である。
【図４】図４は、ワイシャツに使用しているトップス用胴体伸張式ハンガーの図である。
【図５】図５は、ワイシャツに使用しているトップス用胴体伸張式ハンガーの図である。
【図６】図６は、パンツ用伸張式ハンガーの図である。
【図７】図７は、一体型パンツ用伸張式ハンガーの図である。
【図８】図８はヒンジ継手付上部ハンガーの図である。
【図９】図９は、押圧板とヒンジ継手伸張具との接合例の図である。
【発明を実施するための形態】
【００３１】
以下、上記各発明の代表的な実施例を挙げる。
【実施例１】
【００３２】
図１は、押圧板７２の断面がＵ字型の伸張式ハンガー１を示した図である。Ｕ型の凸部分が衣類の筒状部の内部に押圧し衣類を伸張させ、物干し竿やハンガーにかけて乾燥させる。
伸張具７１はコイルばね伸張具７１２を使用し、フックが付いた吊り具７４が押圧板７２と連結している。使用後収納する時にはコイルばね伸張具７１２を収縮して１対の押圧板の間を狭め、押圧板収納具７３に収納する。
【００３３】
図２は、押圧板７２に取り外し用フック７２１が付いた平板の伸張式ハンガー１の図である。伸張具７１にはコイルばね伸張具７１２が使用されている。平板の押圧板７２に設けられた取り外し用フック７２１に、伸張具７１であるコイルばね伸張具７１２が掛けられている。使用後は伸張具７１であるコイルばね伸張具７１２を取り外し用フック７２１から取り外し押圧板収納具７３に収納する。他は図１の伸張ハンガーと同じである。
【００３４】
図３は、断面が楕円形の棒状の押圧板７２であり、伸張具７１にはヒンジ継手７２２のヒンジ継手伸張具７１３を使用した伸張式ハンガー１である。吊り具７４は、それぞれの押圧板と連結している。
図３の(Ａ)は、ヒンジ継手７２２の角度を１８０°にして、ヒンジ継手伸張具７１３を伸ばしている図であり、(Ｂ)はヒンジ継手７２２の角度を曲げ、狭めて収納している図である。押圧板収納具７３はリング状の弾性体を使用し１対の棒状の押圧板７２を収納している。
【実施例２】
【００３５】
図４は、衣類７６のワイシャツ７６１に使用しているトップス用胴体伸張式ハンガー２の図である。ワイシャツ７６１の胴体の筒状部にトップス用胴体伸張式ハンガー２を挿入し乾燥時に発生するしわや縮みを防ぐものである。
トップス用胴体伸張式ハンガー２の吊り具７４は、上部ハンガー６の上部ハンガーの柄６１に掛けられている。その他の押圧板、伸張具等は前記と同様である。
【００３６】
図５は、伸張具７１にヒンジ継手伸張具７１３を利用し、ワイシャツに使用しているトップス用袖・胴体伸張式ハンガー３の図である。図５では伸張具押圧板収納具は図示していない。
伸張具７１のヒンジ継手伸張具７１３の両端は、ヒンジ継手７２２により押圧板７２と回転可能に連結している。
下向矢印Ａ，Ｂで示す箇所は、胴体部の伸張式ハンガーの両押圧板と袖部の一方の押圧板とをヒンジ継手７２２により回転可能に連結し、更に吊り具７４が付けられていれ、吊り具７４は上部ハンガー６の上部ハンガーの柄６１に掛けられている。
ぎ用具
【実施例３】
【００３７】
図６は、パンツ用伸張式ハンガー４の図である。胴部、両脚部の押圧板７２は、共に断面がＵ型の凸部分がパンツの筒状部の内部に押圧し、衣類を伸張し、乾燥させる。伸張具７１はいずれもコイルばね伸張具７１２が使用され、押圧板７２を開方向に広げパンツの胴部及び脚部の生地を伸張し乾燥時に発生するしわや縮みを防いでいる。
胴部の伸張式ハンガーと両脚部の伸張式ハンガーは伸張式ハンガーの繋ぎ用具７５と連結し、胴部の伸張式ハンガーの押圧板７２の上部には吊り具７４が付けられ、物干し竿等に掛けられる。
【００３８】
図７は、一体型パンツ用伸張式ハンガー５の図である。腰から足までの２枚の押圧板７２と脚部の内側の２枚の押圧板７２があり、脚部の内側の２枚の押圧板７２の上部は、ヒンジ継手７２２により接合されている。胴部及び脚部の伸張具７１としては、ヒンジ継手伸張具７１３を使用し、それぞれ押圧板７２とヒンジ継手７２２により接合されている。腰から足までの２枚の押圧板７２には、吊り具７４が付けられ、またその裾には押圧板収納具７３が付けられている。
【実施例４】
【００３９】
図８は、中央部にヒンジ継手６５が付いたヒンジ継手付上部ハンガー６４の図である。図８の(Ａ)は１８０°、(Ｂ)は１２０°、(Ｃ)は両肩を閉じた図である。前記各伸張式ハンガーの広さに合わせ、ヒンジ継手付上部ハンガー６４を所定の角度に広げ、上部ハンガーの肩部６２についたフック６２１に各伸張式ハンガーの吊り具が掛けられる。
【００４０】
図９は、押圧板７２とヒンジ継手伸張具７１３との接合例の図である。図９の(Ａ)は、Ｕ字型、(Ｂ)、(Ｃ)、(Ｄ)は、筒状の押圧板７２を使用している。また、(Ａ)、(Ｂ)では、平板のヒンジ継手伸張具７１３を使用し、押圧板７２と接合している。(Ｃ)、(Ｄ)では、棒状のヒンジ継手伸張具７１３を使用し、(Ｃ)では１本の棒状のヒンジ継手伸張具７１３、(Ｄ)では平行した２本のヒンジ継手伸張具７１３を使用して押圧板７２と接合している。
本願に係る発明の特徴の1つとして、伸張具７１にヒンジ継手伸張具７１３を使用したことである。コイルばねを使用した伸張式ハンガーを子供が扱う場合に、指がばねに挟まれたり、ばねの反発力から扱いが難しい場合がある。伸張具７１にヒンジ継手伸張具７１３を使用した場合の伸張式ハンガーでは、子供が扱いやすく収納がしやすくなる等の利点がある。
【産業上の利用可能性】
【００４１】
本発明は、社会的職務と家事とを並行して担っている主婦の身近な必要性から考えだされたものであり、日常生活の必需品ともいえるものである。構造も簡単であり量産可能であり、プラスチック等を材料として生産すれば安価に供給することができ需要が期待できる。
【符号の説明】
【００４２】
１    伸張ハンガー
２    トップス用胴体伸張式ハンガー
３    トップス用袖・胴体用伸張式ハンガー
４    パンツ用伸張式ハンガー
５    一体型パンツ用伸張式ハンガー
６    上部ハンガー  ６１  上部ハンガーの柄  ６２  上部ハンガーの肩部
６２１（上部ハンガーの肩に付く）フック  ６３  上部ハンガーのフック  
６４  ヒンジ継手付上部ハンガー  
６５  （ヒンジ継手付上部ハンガーの）ヒンジ継手
７１  伸張具    ７１１  伸張具用連結フック  ７１２  コイルばね伸張具  
７１３  ヒンジ継手伸張具
７２  押圧板  ７２１  取り外し用フック  ７２２  ヒンジ継手
７３  押圧板収納具  ７４  吊り具    ７５（伸張式ハンガーの）繋ぎ用具
７６  衣類  ７６１  ワイシャツ    ７６２  パンツ
【図１】
2019058235.tif 000003
【図２】
2019058235.tif 000004
【図３】
2019058235.tif 000005
【図４】
2019058235.tif 000006
【図５】
2019058235.tif 000007
【図６】
2019058235.tif 000008
【図７】
2019058235.tif 000009
【図８】
2019058235.tif 000010
【図９】
2019058235.tif 000011
【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
吊り具、１対の押圧板、この１対の押圧板の間に設けた伸張具及び１対の押圧板の間を狭め収納する押圧板収納具とからなり、洗濯後の衣類の筒状部の内部に１対の押圧板を閉方向に狭めて挿入し、挿入後、１対の押圧板の間に設けた伸張具によって、１対の押圧板が開方向に付勢し、衣類の内部から洗濯物を伸張して、乾燥させ、洗濯物脱着後は、伸張具を閉方向に圧縮して１対の押圧板間を狭め、押圧板収納具で１対の押圧板を固定し収納可能とする、洗濯後衣類の乾燥時において生ずるしわや縮みを防止する伸張式ハンガー。
【請求項２】
伸張具の支点部にヒンジ構造をもつ請求項１の伸張式ハンガー。
【請求項３】
請求項１又は請求項２のいずれかの伸張式ハンガーをトップスの胴体部に使用するトップス用胴体伸張式ハンガー。
【請求項４】
請求項３のトップス用胴体伸張式ハンガーの１対の押圧板の左右のそれぞれの押圧板に、請求項１又は請求項２のいずれかの１対の押圧板の一方の押圧板を接合し、中央の伸張式ハンガーを胴体用、左右の伸張式ハンガーを袖用として使用するトップス用袖・胴体伸張式ハンガー。
【請求項５】
パンツの腰部と両脚部に請求項１又は請求項２のいずれかの伸張式ハンガーを使用し、腰部の伸張式ハンガーと両脚部の伸張式ハンガーを繋げたパンツ用伸張式ハンガー
【請求項６】
パンツの腰部から脚部までの外側用の１対の押圧板と、両脚部の内側用として上端部を接合した２枚の押圧板とを準備し、パンツの腰部から脚部までの１対の押圧板の腰部及びパンツの腰部から脚部までの１対の押圧板の脚部と上部を接合した２枚の押圧板との間に、伸張具をそれぞれの押圧板にほぼ垂直に単数又は複数設け、パンツの腰部から脚部までの１対の押圧板及び両脚部の上部を接合した２枚の押圧板の接合部とに吊り具を付け、更に押圧板の間を狭め固定する押圧板収納具を付けた一体型パンツ用伸張式ハンガー。
【請求項７】
中央にヒンジ継手を有し、左右の肩部が回転可能とするヒンジ継手付上部ハンガーと請求項１から請求項６までのいずれかの伸張式ハンガーとを組み合わせた上部ハンガー付伸張式ハンガー。
【手続補正２】
【補正対象書類名】明細書
【補正対象項目名】００１４
【補正方法】変更
【補正の内容】
【００１４】
続いて、第２発明は、伸張具の支点部にヒンジ構造を持つ第１発明である。ヒンジ構造とは、部材と部材との継ぎ目、または支点であって、上下左右には動かないが回転は自由にできるようにした接合の構造をいう。ヒンジ構造の具体例として、任意の角度で保持できるフリーストップヒンジすなわちトルクを有する角度固定ヒンジを用いたり、支点部の内部にコイルばねを内蔵させる等して、伸張方向すなわち支点と連結する左右のアームの角度が広がる方向の弾性力を持たせる(この場合、角度を固定するのではなく、支点は自由に回転できるようにした状態でコイルばね力により衣類に張りを与える。)。加えて、衣類の着脱時にコイルばねの反発力に逆らいながら縮むことができる、すなわち、左右のアームの角度が狭められたときに、適当な位置でロックがかかるストッパー機能と、さらにもう一度軽く縮める方向に動かすとロックが外れて再び伸張方向の弾力性が回復する機能(ラッチ構造)を付与することで、乾燥時のしわを防ぐとともに、ヒンジ継手の角度を小さく狭めることで収納が可能となる。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】